(57)【要約】【課題】  金鋏収納容器に収納している金鋏の握り柄を、指で掬い上げ掴み損なうことなく手中に収める諸動作が円滑且つ確実にできる支持具を提供する。【解決手段】  金鋏収納容器の背面の内側表面の上部に、金鋏の握り柄との間隔を設け、指先又は指の第一関節に握り柄を保持したのち、第二関節に移して掴み固定する操作を確実にするために、指掛りを形成することで解決手段とする。【選択図】  図３
2005052592.tif 000002
【特許請求の範囲】
【請求項１】
金鋏収納容器（１）の背面（３）に任意形状の指掛り支持具を設け、それらの指掛り支持具を任意に組み合わせることを特徴とした、指掛り付き金鋏収納容器。
【発明の詳細な説明】
【発明の詳細な説明】
【技術分野】
【０００１】  この発明は、金鋏収納容器に差し込まれた金鋏を、指で挟み掴む操作を確実にできるようにする為の、指掛り付き金鋏収納容器に関するものである。
【背景技術】
【０００２】  従来よりの金鋏収納容器の構造は、容器の背面の内側表面が平板で且つ垂直である。
【発明が解決しようとする課題】
【０００３】これらには、次のような問題点があった。
（イ）  金鋏収納容器の背面の内側表面が平板のため指先が滑り易く、金鋏の握り柄を保持できずに指先から滑って外れる。
（ロ）  金鋏を保持出来ず取り落としたために、自分自身を傷つけるだけでなく他人を怪我に巻き込むことが生じる。
（ハ）  金鋏の握り柄が細く、金鋏収納容器背面の内側表面が平板で且つ垂直のため、握り柄を掴むより先に指の先端が直に平板に触れてしまうので、
（イ）指の先端の感触だけで握り柄を保持することになり、特に手袋着用は感覚が鈍くなり金鋏を取り落とす。
（ロ）指先から第一関節まで握り柄を前後移動させて保持しなければならない。
（ニ）金鋏収納容器の背面の内側表面が平板且つ垂直の為、指の先端を掬い上げるように上に滑らせて、金鋏の握り柄を保持しなければならない。
本発明は、これらの欠点を解決するために、
（イ）  金鋏収納容器の背面の内側表面と金鋏の握り柄との間隔を設ける。
（ロ）  金鋏収納容器の背面の内側表面と金鋏の握り柄との間隔を設けることによって、握り柄を指の第一関節の位置に保持する。
（ハ）  握り柄を指の第一関節が確実に保持し、第二関節への移動が簡単にできるように、金鋏収納容器の背面の内側表面に、保持することが容易になる機構を設ける。
以上のような、金鋏の握り柄を掬い掴み、そして保持することに伴う機構を要求する収納容器を提供すべく発明されたものである。
【課題を解決するための手段】
【０００４】  金鋏収納容器（１）は収納容器全体が皮革であり、金属製刃物収納容器の性能を高める上にも堅牢を保持する必要があることのために背面（３）側、前面（２）側共に内、外表面は硬質に平板且つ垂直な状態を形成している。金鋏収納容器（１）を硬質皮革に設け、容器内の金属製刃物類の動きを保持するために、背面（３）側と前面（２）側の間隔を少なく形成している。そのために、金属製刃物類を金鋏収納容器（１）より取り出しにくい形状にしている。金鋏収納容器（１）より金鋏（１０）を取り出し易く、金鋏（１０）の握り柄（１１）に指が掛り易くするために、金鋏収納容器（１）の背面（３）側上部に全切り抜き型、半切り込み型、凹状、段状、そしてそれらを組み合わせることによって指掛りを形状し、維持する状態に形成する。
本発明は、以上の構成よりなる指掛り付き金鋏収納容器である。
【発明を実施するための最良の形態】
【０００５】  本発明の実施に当たっては、一窓全切り抜き型指掛り支持方式、二窓全切り抜き型指掛り支持方式、一窓半切り込み型指掛り支持方式、二窓半切り込み型指掛り支持方式、凹状指掛り支持方式、段状指掛り支持方式、及びそれらの組み合わせの方式が考えられる。
これらにつき各々の構造を詳しく説明する。
（イ）  一窓全切り抜き型指掛り支持方式
図３及び図  ４についてその構成を説明すれば、金鋏収納容器（１）が収納する金鋏（１０）の握り柄（１１）部分に接触する金鋏収納容器（１）の背面（３）側上部に、金鋏（１０）の握り柄（１１）を保持するため、親指、人指し指、中指又は薬指の複数の指の第一関節部分を差し込む一窓全切り抜きを形成する。一窓の全切り抜き（円形、半円形、楕円形又は多角形の形状）縁の保持は額縁状枠（１２）を設ける。
本発明は以上のような構造で、これを使用する時は、例えば図４において、
（イ）金鋏収納容器（１）の背面（３）側上部に、一窓全切り抜き型指掛り支持具（４）の全切り抜きに金鋏（１０）の握り柄（１１）を保持するため、親指、人指し指、中指、又は薬指の複数の第一関節を差し込む。
（ロ）金鋏（１０）の握り柄（１１）を、親指、人指し指、中指又は薬指の複数の第一関節が掬い上げ保持する。
（ハ）第一関節が掬い上げ保持した金鋏（１０）の握り柄（１１）を第二関節へ移し、確実に維持する。
一窓全切り抜き型指掛り支持具の全切り抜き縁の保持は、鋼鉄板の材質を用いるのが最も望ましい。
（ロ）  二窓全切り抜き型指掛り支持方式
図５及び図  ６についてその構成を説明すれば、金鋏収納容器（１）が収納する金鋏（１０）の握り柄（１１）部分に接触する金鋏収納容器（１）の背面（３）側上部に、金鋏（１０）の握り柄（１１）を保持するため、親指、人指し指、中指又は薬指の複数の指の第一関節部分を差し込む二窓全切り抜きを形成する。二窓の全切り抜き（各々円形、半円形、楕円形又は多角形の形状）縁の保持は額縁状枠（１２）を設ける。
本発明は以上のような構造で、これを使用する時は、例えば図６において、
（イ）金鋏収納容器（１）の背面（３）側上部に、二窓全切り抜き型指掛り支持具（５）の全切り抜きに金鋏（１０）の握り柄（１１）を保持するため、親指、人指し指、中指又は薬指の複数の指の第一関節を差し込む。
（ロ）金鋏（１０）の握り柄（１１）を、親指、人指し指、中指又は薬指の複数の指の第一関節が掬い上げ保持する。
（ハ）第一関節が掬い上げ保持した金鋏（１０）の握り柄（１１）を第二関節へ移し、確実に維持する。
二窓全切り抜き型指掛り支持具の全切り抜き縁の保持は、鋼鉄板の材質を用いるのが最も望ましい。
（ハ）  一窓半切り込み型指掛り支持方式
図７及び図  ８においてその構成を説明すれば、一窓全切り抜き型指掛り支持方式の形状と同じく、金鋏収納容器（１）が収納する金鋏（１０）の握り柄（１１）部分に接触する金鋏収納容器（１）の背面（３）側上部内側に、金鋏（１０）の握り柄（１１）を保持するため、親指、人指し指、中指又は薬指の複数の指の先端を差し入れる一窓半切り込みを形成する。一窓の半切り込み（円形、半円形、楕円形又は多角形の形状）縁の保持は凹状枠（１３）を設ければ尚良い。
本発明は以上のような構造で、これを使用する時は、例えば図８において
（イ）金鋏収納容器（１）の背面（３）側上部内側に、一窓半切り込み型指掛り支持具（６）の半切り込みに金鋏（１０）の握り柄（１１）を保持するため、親指、人指し指、中指、薬指の複数の指の第一関節の先端を差し入れる。
（ロ）金鋏（１０）の握り柄（１１）を、親指、人指し指、中指又は薬指の複数の指の先端が掬い上げ保持する。
（ハ）指の先端が掬い上げ保持した金鋏（１０）の握り柄（１１）を第一関節から第二関節へ移し、確実に維持する。
一窓半切り込み型指掛り支持具の半切り込み縁の保持は、鋼鉄板、硬質合成樹脂の材質を用いるのが最も望ましい。
（ハ）  二窓半切り込み型指掛り支持方式
図９及び図１０についてその構成を説明すれば、二窓全切り抜き型指掛り支持方式の形状と同じく、金鋏収納容器（１）が収納する金鋏（１０）の握り柄（１１）部分に接触する金鋏収納容器（１）の背面（３）側上部内側に、金鋏（１０）の握り柄（１１）を保持するため、親指、人指し指、中指又は薬指の複数の指の先端を差し入れる二窓半切り込みを形成する。二窓の半切り込み（各々円形、半円形、楕円形又は多角形の形状）縁の保持は凹状枠（１３）を設ければ尚良い。
本発明は以上のような構造で、これを使用する時は、例えば図１０において
（イ）金鋏収納容器（１）の背面（３）側上部内側に、二窓半切り込み型指掛り支持具（７）の半切り込みに金鋏（１０）の握り柄（１１）を保持するため、親指、人指し指、中指又は薬指の複数の指の先端を差し入れる。
（ロ）金鋏（１０）の握り柄（１１）を、差し入れた複数の指で掬い上げ保持する。
（ハ）指の先端が掬い上げ保持した金鋏（１０）の握り柄（１１）を第一関節から第二関節へ移し、確実に維持する。
二窓半切り込み型指掛り支持具の半切り込み縁の保持は、鋼鉄板、硬質合成樹脂の材質を用いるのが最も望ましい。
（ニ）  凹状指掛り支持方式
図１１についてその構成を説明すれば、一窓半切り込み型指掛り支持方式及び二窓半切り込み型指掛り支持方式の形状と同じく、金鋏収納容器（１）が収納する金鋏（１０）の握り柄（１１）部分に接触する金鋏収納容器（１）の背面（３）側上部内側に、金鋏（１０）の握り柄（１１）を保持するため、親指、人指し指、中指又は薬指の複数の指の先端を差し入れる凹状の窪みを形成する。凹状（円形、半円形、楕円形又は多角形の形状）の保持は、生地のまま又は凹状枠（１３）を設ければ尚良い。
本発明は以上のような構造で、これを使用する時は、例えば図１１において、
（イ）金鋏収納容器（１）の背面（３）側上部内側の凹状指掛り支持具（８）の凹状に金鋏（１０）の握り柄（１１）を保持するため、親指、人指し指、中指又は薬指の複数の指の先端を差し入れる。
（ロ）金鋏（１０）の握り柄（１１）を、差し入れた複数の指で掬い上げ保持する。
（ハ）指の先端が掬い上げ保持した金鋏（１０）の握り柄（１１）を第一関節から第二関節に移し、確実に維持する。
凹状指掛り支持具の凹状枠の保持は、生地、鋼鉄板、硬質合成樹脂の材質を用いるのが最も望ましい。
（ホ）  段状指掛り支持方式
図１２においてその構成を説明すれば、金鋏収納容器（１）が収納する金鋏（１０）の握り柄（１１）部分に接触する金鋏収納容器（１）の背面（３）側上部に、金鋏（１０）の握り柄（１１）を保持するため、親指、人指し指、中指又は薬指の複数の指の先端を差し入れる、又は複数の指の第一関節部分を差し込む段状を形成する。段状（標準的規格寸法、縦５０ミリＸ横１３０ミリ以内）の保持は、生地のまま又は凹状枠（１３）を設ければ尚良い。
本発明は以上のような構造で、これを使用する時は、例えば図１２において、
（イ）金鋏収納容器（１）の背面（３）側上部の段状指掛り支持具（９）の段状に金鋏（１０）の握り柄（１１）を保持するため、親指、人指し指、中指又は薬指の複数の指の先端、又は複数の指の第一関節部分を差し込む。
（ロ）金鋏（１０）の握り柄（１１）を、差し入れた複数の指で掬い上げ保持する。
（ハ）指の先端が掬い上げ保持した金鋏（１０）の握り柄（１１）を第一関節から第二関節へ移し、確実に維持する。
段状指掛り支持具の段状の保持は、生地、鋼鉄板、硬質合成樹脂の材質を用いるのが最も望ましい。
【発明の効果】
【０００６】  本発明の効果は、金鋏収納容器の背面内側表面の上部に、一窓と二窓の全切り抜き、一窓と二窓の半切り込み、凹状そして段状と、指掛りを形成して金鋏の握り柄との間隔を設けることによって、指先又は指の第一関節に握り柄を保持し、第二関節に移して掴み固定する操作を確実にできることが最大の効果である。
【図面の簡単な説明】
【図１】    金鋏収納容器の正面図。
【図２】    金鋏収納容器の左側面図。
【図３】    本発明の正面図。
【図４】    本発明の左側面図。
【図５】    本発明の他の実施例を示す正面図。
【図６】    本発明の他の実施例を示す左側面図。
【図７】    本発明の他の実施例を示す正面図。
【図８】    本発明の他の実施例を示す左側面図。
【図９】    本発明の他の実施例を示す正面図。
【図１０】    本発明の他の実施例を示す左側面図。
【図１１】    本発明の他の実施例を示す左側面図。
【図１２】    本発明の他の実施例を示す左側面図。
【符号の説明】
１      金鋏収納容器
２      金鋏収納容器の前面
３      金鋏収納容器の背面
４      一窓全切り抜き型指掛り支持具
５      二窓全切り抜き型指掛り支持具
６      一窓半切り込み型指掛り支持具
７      二窓半切り込み型指掛り支持具
８      凹状指掛り支持具
９      段状指掛り支持具
１０      金鋏
１１      金鋏の握り柄
１２      額縁状枠
１３      凹状枠
１４      止め金
１５      ベルト通し
１６      指掛り付き金鋏収納容器
【図１】
2005052592.tif 000003
【図２】
2005052592.tif 000004
【図３】
2005052592.tif 000005
【図４】
2005052592.tif 000006
【図５】
2005052592.tif 000007
【図６】
2005052592.tif 000008
【図７】
2005052592.tif 000009
【図８】
2005052592.tif 000010
【図９】
2005052592.tif 000011
【図１０】
2005052592.tif 000012
【図１１】
2005052592.tif 000013
【図１２】
2005052592.tif 000014